(57)【要約】      （修正有）【課題】素早い組立と分解ができるアタッチ式ＬＥＤ電灯スタンド装置を提供する。【解決手段】アタッチ式ＬＥＤ電灯スタンド装置は、放熱アルミフレーム１と、ＬＥＤ発光モジュール２と、放熱板３と、絶縁スティック４と、導電スティック５と、弾性嵌合部品６と、からなる。ＬＥＤ発光モジュール及び放熱板は放熱アルミフレームに設けられ、絶縁スティックは導電スティックに接合され、また放熱アルミフレームに設けられ、ＬＥＤ発光モジュールは導電スティックと電気的に接続される。弾性嵌合部品に設けられた結合部６１は、ＬＥＤ発光モジュール及び放熱板の両端に接合され、結合部の両端は弾性アーム及び第二フック部６３に延伸して設けられ、結合部に弧形のプルグリップ６４が設けられる。第二フック部と放熱アルミフレームの第一フック部１３がかみ合い、弾性嵌合部品とＬＥＤ発光モジュールと放熱板を放熱アルミフレームに接合固定させ、素早い装着を達成する。【選択図】図２
0003214694.tif 000002
【実用新案登録請求の範囲】
【請求項１】
一つの放熱アルミフレームと、少なくとも二つの弾性嵌合部品と、からなるアタッチ式ＬＥＤ電灯スタンド装置であって、
前記放熱アルミフレームの片面には、平行に向かい合った二つの第一フック部が設けられ、
前記弾性嵌合部品は、一つのＬＥＤ発光モジュールの両端に取り付けられるとともに、前記放熱アルミフレームに嵌め込まれ、前記弾性嵌合部品には一つの結合部が設けられ、前記結合部及び前記ＬＥＤ発光モジュールを接合させるために、前記結合部の両端には、横に向かって延伸してそれぞれ一つの弾性アームが設けられるとともに、前記二つの弾性アームの末端には、縱に向かって延伸してそれぞれ一つの第二フック部が設けられ、前記第二フック部及び前記第一フック部は対応して接合固定され、また前記二つの弾性アームが前記第二フック部に向いているのと反対の方向には、一つの弧形のプルグリップが設けられ、
前記二つの弾性嵌合部品の接合部は、前記ＬＥＤ発光モジュールの両端に接合され、前記二つの弾性嵌合部品の第二フック部及び前記放熱アルミフレームの第一フック部がかみ合った時、前記二つの弾性嵌合部品を前記放熱アルミフレームに接合固定させ、前記二つの弾性嵌合部品のプルグリップを上に引っ張るとともに前記第二フック部の外に向かって広げた時、前記第二フック部及び前記第一フック部は外れ、前記二つの弾性嵌合部品から前記放熱アルミフレームが外れることを特徴とする、アタッチ式ＬＥＤ電灯スタンド装置。
【請求項２】
前記放熱アルミフレームの前記二つの第一フック部の間には、平行に対応した二つの第一溝が設けられるとともに、前記二つの第一溝の間には、一つの放熱部が設けられ、前記二つの第一溝には、それぞれ一つの第一溝開口部が設けられ、前記放熱部には、少なくとも一つの接触面が設けられるとともに、前記放熱部の内部には、一つの対流空間が設けられ、前記二つの第一溝開口部及び前記接触面及び前記二つの第一フック部は、いずれも同じ向きであり、前記ＬＥＤ発光モジュールは、一つの回路基板を備え、前記回路基板は複数のＬＥＤ発光部品及び少なくとも二つの導電性シートに電気的に接続され、前記導電性シートが前記回路基板の下方に延伸したところには、一つの弾性舌片が設けられるとともに、前記弾性舌片には、外に向かって突き出た一つの突起部が設けられることを特徴とする、請求項１に記載の前記アタッチ式ＬＥＤ電灯スタンド装置。
【請求項３】
前記アタッチ式ＬＥＤ電灯スタンド装置は、一つの放熱板を備え、前記放熱板は前記放熱アルミフレーム及び前記ＬＥＤ発光モジュールの間に設けられ、前記放熱板の片面には第一熱伝導面が設けられ、他面には第二熱伝導面が設けられ、前記第一熱伝導面及び前記ＬＥＤ発光モジュールの底面は互いに接し、前記第二熱伝導面及び前記放熱アルミフレームの接触面は互いに接触し、また前記放熱板の両端及び前記二つの弾性嵌合部品の結合部は接合されることを特徴とする、請求項２に記載の前記アタッチ式ＬＥＤ電灯スタンド装置。
【請求項４】
前記アタッチ式ＬＥＤ電灯スタンド装置は、二本の絶縁スティック及び二本の導電スティックを備え、前記二本の絶縁スティックはそれぞれ前記放熱アルミフレームの前記二つの第一溝内に設けられ、前記絶縁スティックには一つの開口溝が設けられ、前記開口溝の方向及び前記放熱アルミフレームの第一溝開口部の方向は同じであり、前記二本の導電スティックは前記二本の絶縁スティックの中にそれぞれ貫設されることを特徴とする、請求項２に記載の前記アタッチ式ＬＥＤ電灯スタンド装置。
【請求項５】
前記導電性シートは、一つの固定部品によって、前記回路基板に固定されることを特徴とする、請求項２に記載の前記アタッチ式ＬＥＤ電灯スタンド装置。
【考案の詳細な説明】
【技術分野】
【０００１】
本考案は、アタッチ式ＬＥＤ電灯スタンド装置に関し、特に一つの放熱アルミフレーム及び二つの弾性嵌合部品を互いに接合させることによって、前記弾性嵌合部品の第二フック部をすぐに放熱アルミフレームの第一フック部から外し、ＬＥＤ発光モジュール及び放熱板を放熱アルミフレームから外し、素早い組み立て及び素早い分解ができるという効果を備えたアタッチ式ＬＥＤ電灯スタンド装置に関する。
【背景技術】
【０００２】
現在発光ダイオード応用のモデル及び研究において、発光ダイオードは直流電源（ＤＣ）による必要があるため、電池型直流電源モードを使わない場合において、交流電源モードによるなら、変換をする必要があり、交流電流を直流電流に変換する必要があり、発光ダイオード或いはそのモジュールの使用において、これは一般的で基本的な方法及び構造である。しかしながら、ハイパワーの発光ダイオードについて言えば、「質量保存の法則」によると、発光物が発する「熱量」の問題があり、放熱モジュールによって高効率の放熱を行う必要があり、さもなければ発光ダイオードの耐久性及び寿命に必ず影響を与え、ひいては光の減衰現象が発生してしまう。それゆえに、放熱モジュール及びそれを応用したアルミベースの放熱スティック、プレート…等は、発光ダイオード照明器具のもう一つの技術のキーポイントとなっている。
【０００３】
従来の放熱モジュール及びそれを応用したアルミベースの放熱スティック或いはプレート…等の主要な機能及び目的は、単に放熱技術の一方面に限られており、配電及び電源の供給面には及んでいない。特に複数個のＬＥＤモジュール化の応用において、ＬＥＤモジュールとＬＥＤモジュールの間を溶接して接続して、電源の導通をさせる必要がある。それゆえに、今のところ、発光ダイオードは照明技術において、依然として良い或いは好ましい配電方法が見つけられていない。それゆえ、放熱モジュールまたはアルミベースの放熱スティック或いはプレートを備えた発光ダイオードの照明燈具…等の領域に属するものは、回路板の配置の長さ、配電及び配電構造の属性、さらに、直列接続後の電源の減衰の問題もあり、これらは照明器具の応用力及び発展を大きく制限するものであり、重大な問題を招きかねない。
【考案の概要】
【考案が解決しようとする課題】
【０００４】
本考案は、一つの放熱アルミフレームと、一つのＬＥＤ発光モジュールと、一つの放熱板と、二本の絶縁スティックと、二本の導電スティックと、二つの弾性嵌合部品と、からなるアタッチ式ＬＥＤ電灯スタンド装置を提供することを目的とする。
【課題を解決するための手段】
【０００５】
本考案のアタッチ式ＬＥＤ発光モジュールは、その底部に放熱板を接合させるとともに、放熱アルミフレームを設け、ＬＥＤ発光モジュールが発する熱エネルギーを、放熱板及び放熱アルミフレームに伝導させる。放熱アルミフレームは絶縁スティックに取り付けられ、また絶縁スティックが導電スティックに取り付けられることによって、ＬＥＤ発光モジュールが導電スティックと電気的に接続されるようにする。その内、二つの弾性嵌合部品に結合部が設けられ、ＬＥＤ発光モジュール及び放熱板の両端をそれぞれ固定させ、また結合部の両端に延伸して弾性アーム及び第二フック部が設けられ、且つ結合部にはさらに一つの弧形のプルプルグリップが接続され、弾性嵌合部品のプルグリップを引っ張ることによって、第二フック部を外部に向かって広げることが可能である。
【図面の簡単な説明】
【０００６】
【図１】本考案におけるアタッチ式ＬＥＤ電灯スタンド装置の組立て図である。
【図２】本考案におけるアタッチ式ＬＥＤ電灯スタンド装置の分解図である。
【図３】本考案におけるアタッチ式ＬＥＤ電灯スタンド装置の俯瞰図である。
【図４】本考案の図３に示すＡ−Ａの断面側視図である。
【図５】本考案におけるアタッチ式ＬＥＤ電灯スタンド装置の弾性嵌合部品の実施例を示した状態の概略図である。
【考案を実施するための形態】
【０００７】
図１から図５を参照する。本考案の示すアタッチ式ＬＥＤ電灯スタンド装置は、一つの放熱アルミフレーム１と、一つのＬＥＤ発光モジュール２と、一つの放熱板３と、二本の絶縁スティック４と、二本の導電スティック５と、二つの弾性嵌合部品６と、からなる。
【０００８】
放熱アルミフレーム１の片方の表面には、平行に対応した二つの第一フック部１３が設けられ、二つの第一フック部１３の間に二つの平行に対称をなす第一溝１１が設けられ、さらに二つの第一溝１１の間に一つの放熱部１２が設けられ、また二つの第一溝１１にそれぞれ一つの第一溝開口部１１１が設けられ、また放熱部１２に少なくとも一つの接触面１２１が設けられ、また放熱部１２の内部に一つの対流空間１２２が設けられる。前記二つの第一溝開口部１１１及び接触面１２１及び二つの第一フック部１３は、それぞれ同じ方向に向いている。例えば、二つの第一溝開口部１１１及び接触面１２１及び二つの第一フック部１３は、それぞれ放熱アルミフレーム１の端の方向に向いている。
【０００９】
ＬＥＤ発光モジュール２は、放熱アルミフレーム１に取り付けられるとともに、一つの回路基板２１を備える。前記回路基板２１は、複数のＬＥＤ発光部品２２及び少なくとも二つの導電性シート２３に電気的に接続して設けられ、二つの導電性シート２３を正極端及び負極端とし、且つ各一つの導電性シート２３は一つの固定部品２４によって回路基板２１に固定され、前記導電性シート２３が回路基板２１の下方に延伸した所に、一つの弾性舌片２３１が設けられ、さらに弾性舌片２３１には、外に向かって突き出た一つの突起部２３２が設けられることによって、前記導電性シート２３に、嵌め合わせる弾性機能を備えさせることが可能である。
【００１０】
放熱板３は、放熱アルミフレーム１及びＬＥＤ発光モジュール２の間に設けられ、放熱板３の片面には第一熱伝導面３１が設けられるとともに、そのもう一つの面には第二熱伝導面３２が設けられ、第一熱伝導面３１はＬＥＤ発光モジュール２の底面と互いに接し、第二熱伝導面３２は放熱アルミフレーム１の接触面１２１と互いに接する。
【００１１】
二本の絶縁スティック４は、放熱アルミフレーム１の二つの第一溝１１内にそれぞれ設けられ、また絶縁スティック４には、一つの開口溝４１が設けられる。絶縁スティック４の開口溝４１の方向と、放熱アルミフレーム１の第一溝開口部１１１の方向は同じである。
【００１２】
二本の導電スティック５は、二本の絶縁スティック４の中にそれぞれ貫設される。その内、一本の導電スティック５は外部に予め設けられた電源のプラス極に接続され、その内、もう一本の導電スティック５は外部に予め設けられた電源のマイナス極に接続される。
【００１３】
二つの弾性嵌合部品６は、ＬＥＤ発光モジュール２及び放熱アルミフレーム１に嵌め込まれた放熱板３の両端を固定させるのに用いられ、前記二つの弾性嵌合部品６には一つの結合部６１がそれぞれ設けられ、結合部６１によって、ＬＥＤ発光モジュール２を放熱板３の両端にそれぞれ固定させる。また、結合部６１の両端に横に向かって一つの弾性アーム６２がそれぞれ延伸して設けられ、また二つの弾性アーム６２の末端に、縱に向かって一つの第二フック部６３がそれぞれ延伸して設けられ、第二フック部６３は、放熱アルミフレーム１の第一フック部１３に対応してかみ合せられ、且つ二つの弾性アーム６２の第二フック部６３と反対の方向に連接して一つの円弧形のプルグリップ６４が設けられ、弾性嵌合部品６のプルグリップ６４を引っ張った時、第二フック部６３を外部に向かって広げることができる（図５が示すとおりである）。
【００１４】
ＬＥＤ発光モジュール２及び放熱板３及び弾性嵌合部品６を放熱アルミフレーム１に取り付ける時、まず、ＬＥＤ発光モジュール２及び放熱板３の両端を覆うように、二つの弾性嵌合部品６の結合部６１をそれぞれ取り付け、それから、放熱アルミフレーム１の第一フック部１３に二つの弾性嵌合部品６の第二フック部６３を嵌め合わせ、二つの弾性嵌合部品６及びＬＥＤ発光モジュール２及び放熱板３が、放熱アルミフレーム１にしっかり固定されるように取り付ける。また、ＬＥＤ発光モジュール２及び放熱板３及び弾性嵌合部品６を、放熱アルミフレーム１から取り外したい時、弾性嵌合部品６のプルグリップ６４を引っ張り、弾性嵌合部品６の二つの第二フック部６３を外に向かって広げる。この時、弾性嵌合部品６の第二フック部６３は、すぐに放熱アルミフレーム１の第一フック部１３から外れ、二つの弾性嵌合部品６及びＬＥＤ発光モジュール２及び放熱板３を、放熱アルミフレーム１から外すことが可能であり、手軽に嵌めて組み立て、且つ手軽に取り外しできるという高い効果を備える。
【００１５】
注目に値するのは、ＬＥＤ発光モジュール２及び放熱アルミフレーム１を嵌めた時、ＬＥＤ発光モジュール２に設けられた二つの導電性シート２３は、第一溝開口部１１１を経由して、開口溝４１から絶縁スティック４内に伸びて、導電性シート２３の弾性舌片２３１及び導電スティック５は電気的な接触により導通する。ＬＥＤ発光モジュール２及び放熱アルミフレーム１を手軽に組み立てられると同時に、ＬＥＤ発光モジュール２及び放熱アルミフレーム１は導通し電源の機能を果たすことができ、さらに配線及び電気接続の過程を行う必要がない。その外に、弾性舌片２３１に設けられた突起部２３２及び導電スティック５が接触することによって、導電性シート２３が導電スティック５に安定して弾性をもって嵌め合わせられ、且つ電気的に接触導通させるようにすることが可能である。
【００１６】
また、ＬＥＤ発光モジュール２を放熱アルミフレーム１に嵌めた時、放熱板３を利用してＬＥＤ発光モジュール２及び放熱アルミフレーム１の間にしっかりと貼り付ける。放熱板３によって、ＬＥＤ発光モジュール２の熱エネルギーを素早く放熱アルミフレーム１に伝導させることができ、また放熱アルミフレーム１によって放熱を行い、素早い放熱というメリット及び効果を兼ね備えることができる。
【符号の説明】
【００１７】
１      放熱アルミフレーム
１１    第一溝
１１１  第一溝開口部
１２    放熱部
１２１  接触面
１２２  対流空間
１３    第一フック部
２      ＬＥＤ発光モジュール
２１    回路基板
２２    ＬＥＤ発光部品
２３    導電性シート
２３１  弾性舌片
２３２  突起部
２４    固定部品
３      放熱板
３１    第一熱伝導面
３２    第二熱伝導面
４      絶縁スティック
４１    開口溝
５      導電スティック
６      弾性嵌合部品
６１    結合部
６２    弾性アーム
６３    第二フック部
６４    プルグリップ
【図１】
0003214694.tif 000003
【図２】
0003214694.tif 000004
【図３】
0003214694.tif 000005
【図４】
0003214694.tif 000006
【図５】
0003214694.tif 000007